(57)【要約】【課題】吸引掃除機による吸引だけでは取ることのできなかったフローリングなどの平滑面の細かな塵や埃、床面の隅部分のゴミなどを、吸引掃除機による掃除を行うだけで同時に拭き取ることのできるゴミ吸着具の提供を目的とする。【解決手段】吸引掃除機に取り付けられる略平板状をした吸込み具における吸込み口の吸引を阻害しない位置に、少なくとも前記吸込み具の長手方向の全幅を覆うように装着可能な、集塵性を有する材質で形成されてなるゴミ吸着部を備えた構成とした。【選択図】      図１
2004166768.tif 000002
【特許請求の範囲】
【請求項１】
吸引掃除機に取り付けられる略平板状をした吸込み具における吸込み口の吸引を阻害しない位置に、少なくとも前記吸込み具の長手方向の全幅を覆うように装着可能な、集塵性を有する材質で形成されてなるゴミ吸着部を備えたゴミ吸着具。
【請求項２】
ゴミ吸着部が、吸込み具を内部に収容可能な袋状に形成されている請求項１に記載のゴミ吸着具。
【請求項３】
吸込み具に装着させたとき、吸込み具の長手方向よりもさらに外側に向かって、略短冊状またはブラシ状の張り出し部が形成されている請求項１または請求項２に記載のゴミ吸着具。
【発明の詳細な説明】
【０００１】
【発明の属する技術分野】
本発明は、吸引掃除機に取り付けられる略平板状をした吸込み具に装着するゴミ吸着具に関し、特にフローリング床などの端部まできれいに掃除することのできるゴミ吸着具に関する。
【０００２】
【従来の技術】
昨今、屋内の掃除は、電気式の吸引掃除機が用いられて行われる場合が殆どであり、様々なタイプの吸引掃除機が製造販売されている。
しかし、吸引掃除機は、カーペットなどのように拭き掃除を行わない個所の掃除には便利であるが、たとえば、フローリングなどのような平滑面の掃除や、床面の壁面に臨んだ隅部分の掃除は、十分に行うことができないという問題がある。
【０００３】
すなわち、吸引掃除機は、フローリングなどの平滑面では、比較的大きなごみや綿ボコリなどを吸い取ることができるが、細かな塵などはフローリング床に吸着したまま吸い取られずに残ってしまう場合が多い。また、床面の隅部分では、掃除機の吸込み具の吸込口が直接届かないため、どうしても吸い残しが生じ、細かな塵や埃が残ってしまうという問題があった。
【０００４】
したがって、従来は、フローリングなどを掃除するときには、吸引掃除機にて掃除を行った後、モップをかけて、隅部分の細かな埃や塵を拭き取る必要があった。
このように、掃除を行う際に、同じ個所を吸引掃除機とモップや雑巾などの二回にわたって掃除を行わなければならないのは、大変面倒である。
【０００５】
そこで、吸引掃除機による掃除と、拭き掃除とを同時に行える部材として、特開平６−３２７５９８号公報では、底面に拭取り手段を設けた吸引掃除機の吸込み具が提案されており、また、特開平８−１４０９０５号公報や特開２００２−２５３４５８号公報では、モップ状の取り付け体を底面に設けた掃除機の吸込み具が提案されている。
【特許文献１】特開平６−３２７５９８号公報
【特許文献２】特開平８−１４０９０５号公報
【特許文献３】特開２００２−２５３４５８号公報
【０００６】
【発明が解決しようとする課題】
しかし、特開平６−３２７５９８号公報で提案されている吸引掃除機の吸込み具は、吸込み具の底面に、拭取り手段が回転駆動可能に形成されてなる回転清掃体と、この回転清掃体の回転を制御する制御手段と、吸込み具の進行方向を検出する進行方向検出手段などを設けているため、吸込み具の底面構造が複雑なものとなり、非常に製造コストが高いものとなってしまう。
【０００７】
また、従来の吸引掃除機を使用している者にとっては、吸込み具ごと取り替える必要があり、今まで使用していた吸込み具が無駄になってしまうという問題も生じていた。
さらに、このタイプの吸込み具では、床面と壁面とのコーナー部分にまで拭取り手段が届かず、床の隅の小さな塵や埃を取り除くことが困難であるという問題も有していた。
【０００８】
一方、特開平８−１４０９０５号公報や特開２００２−２５３４５８号公報で提案されている吸引掃除機の吸込み具は、やはり、吸込み具の底面にモップを取り付け可能にするために、吸込み具の底面構造を変える必要があり、上述した特開平６−３２７５９８号公報で記載したのと同様な問題を有している。
また、モップは毛足が長いため、吸込み具の吸込み口からモップの毛先が吸引されてしまい吸引掃除機の吸引力を低下させてしまうおそれもある。
【０００９】
そこで、本発明は、上記問題点を鑑みてなされ、従来市販されている吸引掃除機の吸込み具に装着することができ、吸引掃除機による吸引だけでは取ることのできなかったフローリングなどの平滑面の細かな塵や埃、床面の隅部分のゴミなども、吸引掃除機による掃除を行うだけで同時に拭き取ることのできるゴミ吸着具の提供を目的としている。
【００１０】
【課題を解決するための手段】
上記目的を達成するために、本発明の請求項１にかかるゴミ吸着具（以下、「請求項１の吸着具」と記す。）は、吸引掃除機に取り付けられる略平板状をした吸込み具における吸込み口の吸引を阻害しない位置に、少なくとも前記吸込み具の長手方向の全幅を覆うように装着可能な、集塵性を有する材質で形成されてなるゴミ吸着部を備えた構成とした。
【００１１】
上記構成において、ゴミ吸着部は、吸込み具の長手方向の全幅を覆うことができるのであれば、その形状は特に限定されないが、請求項２にかかるゴミ吸着具（以下、「請求項２の吸着具」と記す。）のように、ゴミ吸着部が、吸込み具を内部に収容可能な袋状に形成されている構成としていると、より容易に吸込み具に装着することができるので好ましい。
【００１２】
また、ゴミ吸着具の吸込み具への装着は、粘着テープや接着剤などを使用してもよいが、ゴミ吸着具に面ファスナやフックなどを設けるようにすると、より装着を容易に行うことができる。
また、ゴミ吸着具を形成している集塵性を有する部材としては、特に限定されないが、たとえば、不織布、織布、編布、柔軟紙、その他フェルト状をしているものなどが挙げられる。このとき、これら部材は、集塵性を高めるために荷電（静電気）処理を施すようにしてもよい。
【００１３】
さらに、ゴミ吸着具は、本発明の請求項３にかかるゴミ吸着具（以下、「請求項３の吸着具」と記す。）のように、吸込み具に装着させたとき、吸込み具の長手方向よりもさらに外側に向かって、略短冊状またはブラシ状の張り出し部が形成されている構成とすると、より確実に部屋の隅まで床の掃除を行うことができるので好ましい。
【００１４】
【発明の実施の形態】
以下に、本発明を、その実施の形態をあらわす図面を参照しつつ詳しく説明する。
図１は、本発明にかかるゴミ吸着具の一つの実施形態を示した斜視図である。図１に示したように、ゴミ吸着具１は、ゴミ吸着部としてのシート本体２と、シート本体２を吸引掃除機に取り付ける略平板状をした吸込み具に装着するための装着手段４１、４２と、張り出し部５とを備えている。
【００１５】
シート本体１は、吸塵性を持たせるように荷電加工がなされた不織布により、図１に示したように正面視略凹字形状に形成されており、図２および図３に示したように、略凹字形状をした凹み部分に吸引掃除機の略平板状をした吸込み具Ｘに連結させる吸気パイプを臨ませるようにして吸込み具Ｘを巻きつけ、装着手段４１および４２によって巻きつけ状態を固定することで、吸込み具Ｘに装着されるようになっている。
【００１６】
また、シート本体２は、図１に示したように、吸引用の開口３が設けられており、吸込み具Ｘに示したように、吸込み具Ｘに装着したとき、開口３が吸込み部Ｘの吸込み口Ｙに臨むようになっている。なお、図中符号Ｚは、吸込み口Ｙに臨むように設けられているゴミ掻き出し用の回転部材である。
さらに、シート本体２は、図１および図３に示したように、開口３が設けられている位置を容易に視認可能とする目印３０が設けられており、この目印３０によりシート本体２の開口３を吸込み口Ｙに容易に臨ませるようにしてシート本体２を吸込み具Ｘに装着することができるようになっている。
【００１７】
装着手段４１は、図１に示したように、片面に面ファスナーが設けられた帯状体により構成され、シート本体２の凹みが設けられている側の左右の端部にそれぞれ設けられているとともに、装着手段４２は、図１に示したように、シート本体２の一方の面に取り付けられている。
装着手段４１と、装着手段４２とは、図３に示したように吸込み具Ｘにシート本体２を取り付けた状態で装着手段４１を重ね合わせることにより面ファスナーによる接着により取り付け状態を固定することができるようになっている。
【００１８】
張り出し部５は、図１に示したように、シート本体２の長手方向の両端側端部に沿って設けられており、側部が波状に切りかかれた略短冊状をしている。したがって、吸込み具Ｘに取り付けたとき、図２および図３に示したように、張り出し部５が吸込み具Ｘの長手方向よりもさらに外側に向かって張り出した状態となり、床隅などの細かなゴミを容易に掃除することができるようになっている。
【００１９】
次に、ゴミ吸着具１の使用方法について説明する。
まず、図１に示したゴミ吸着具１は、図２〜図４に示したように、シート本体２を吸込み具Ｘに巻きつけ、装着手段４１および装着手段４２で装着保持を行う。このとき、目印３０を参考にして、ゴミ吸着具１の開口３が吸込み具Ｘの吸込み口Ｙに臨むように配置されるようにする。
【００２０】
上述したように、吸込み具Ｘにゴミ吸着具１を装着した吸引掃除機は、通常の吸引掃除機と同様の操作で掃除を行うが、このとき、吸引掃除機としての吸引による掃除の他に、図３および図４に示したゴミ吸着具１の底部分Ｕがゴミ吸着部となり床面の細かなゴミを拭き取ることが可能となる。
また、張り出し部５が設けられているため、この張り出し部５で床隅部分に残っている細かなゴミも確実に拭き取ることが可能となる。
【００２１】
このような構成をしているゴミ吸着具１は、シート本体２の幅が吸引掃除機の吸込み具Ｘの幅と同じだけの幅を有しているため、吸込み具Ｘに装着することにより、フローリングなどの平滑面の床を吸引掃除したとき、一度の掃除機がけで拭き掃除も同時にしかも拭き残しなく行うことができ、掃除の効率化を図ることができる。
しかも、シート本体２に目印３０が設けられているため、吸込み具Ｘへ装着を行う際に、開口３と吸込み口Ｙとがずれてしまうことを防ぐことができる。
【００２２】
なお、本発明にかかるゴミ吸着具は、上記実施の形態に限定されるものではない。
たとえば、上記実施の形態では、ゴミ吸着具１は、シート本体２を吸込み具Ｘに巻きつけ、面ファスナー構造をしている装着手段４１および４２により装着固定することにより、吸込み具Ｘに装着されるようになっていたが、フックやボタンなどの他の装着手段を用いるようにしても構わない。さらに、粘着テープ、接着剤、吸盤などを使用してシート本体２を吸込み具Ｘに装着するようにしても構わない。
【００２３】
さらに、ゴミ吸着具１のようなシート形状をしているものに代えて、図５に示したゴミ吸着具１０のように袋状に形成されており、装着手段４１０、４２０により掃除機の吸込み具Ｘへ装着保持するような形態をしていても構わない。
このように袋状に形成されていると、袋内に吸引掃除機の吸込み具Ｘを挿入させた状態を保持するようにするだけで、ゴミ吸着具１０が装着されるため、より吸込み具Ｘへの装着が容易に行えるようになる。
【００２４】
また、本発明にかかるゴミ吸着具は、たとえば、吸引掃除機の吸込み具に操作性を向上させるための車輪などが設けられている場合、この車輪部分が床面に接触するように、開口を設けるようにしてもよい。
【００２５】
以上のような構成をしているゴミ吸着具は、掃除を行うとき、洗剤を含浸させて使用することにより、モップとしてより便利に使用することが可能となり、また、ワックスを含ませるようにすることで、ワックスがけを掃除機がけと同時に行うことも可能である。
【００２６】
【発明の効果】
本発明の請求項１にかかるゴミ吸着具は、吸引掃除機の吸込み具の全幅を覆うように装着可能なゴミ吸着部を備えているため、掃除機がけを行うとき、同時に拭き掃除をも行うことができ、掃除の効率を高めることが可能となる。
また、請求項２にかかるゴミ吸着具は、請求項１のゴミ吸着具の効果に加えて、袋状に形成されているため、吸引掃除機の吸込み具への装着をより容易に行うことができる。
さらに、請求項３にかかるゴミ吸着具は、請求項１または請求項２のゴミ吸着具の効果に加えて、張り出し部が形成されているため、床隅部分の拭き取りをより確実に行うことができる。
【図面の簡単な説明】
【図１】本発明にかかるゴミ吸着具の１実施形態を示した斜視図である。
【図２】図１に示したゴミ吸着具を吸引掃除機の吸込み具に装着した状態を示した上方視斜視図である。
【図３】図１に示したゴミ吸着具を吸引掃除機の吸込み具に装着した状態を示した下方視斜視図である。
【図４】図１に示したゴミ吸着具を吸引掃除機の吸込み具に装着した状態を示した側面視断面図である。
【図５】本発明にかかるゴミ吸着具の別の実施形態を示した斜視図である。
【符号の説明】
１      ゴミ吸着具
１０    ゴミ吸着具
２      シート本体
３      開口
４１    装着手段
４２    装着手段
５      張り出し部
【図１】
2004166768.tif 000003
【図２】
2004166768.tif 000004
【図３】
2004166768.tif 000005
【図４】
2004166768.tif 000006
【図５】
2004166768.tif 000007